(57)【要約】      （修正有）【課題】インターホンからの呼び出しに気付きやすいようにし、さらに通話操作を行った場合にも、ネットワーク対応家電の音量を自動的にあらかじめ設定したボリュームへ下げることが可能なインターホンシステムを提供する。【解決手段】インターホンシステムがＩＰ変換アダプタを介してネットワーク対応家電に接続されており、ＩＰ変換アダプタは、ＩＰ変換アダプタに接続されるネットワーク対応家電の機器識別番号を取得するID取得部と、インターホンの動作に応じてUUIDを有するネットワーク対応家電を制御する内容を記憶するメモリと、インターホンの通信信号をネットワーク対応家電の制御を可能とするＵＰｎＰ仕様に変換する信号変換部と、インターホンの動作があるとメモリからネットワーク対応家電の制御内容を取得し、信号変換部にて信号変換することによりUUID毎に前記ネットワーク対応家電を制御するＩＰ変換アダプタＣＰＵを備える。【選択図】図１
2010074696.tif 000002
【特許請求の範囲】
【請求項１】
居住者を呼び出して通話する機能及び来訪者を撮像するためのカメラを備えたインターホン子機と、前記インターホン子機からの呼び出しに応答する機能を備えたインターホン親機と、前記インターホン子機の呼出信号をネットワークを介して連動するための信号へ変換し、家電制御を行う制御部を備えたＩＰ変換アダプタと、家庭内のネットワークを構成する為に設置されるルータと、ネットワークを介して制御を行うことが可能な機能をもったネットワーク対応家電とを備え、
前記ＩＰ変換アダプタは、当該ＩＰ変換アダプタに接続される前記ネットワーク対応家電の機器識別番号であるUUID（Universally Unique Identifer）を取得するID取得部と、前記インターホンの動作に応じて前記UUIDを有するネットワーク対応家電を制御する内容を記憶するメモリと、インターホンの通信信号を前記ネットワーク対応家電の制御を可能とするＵＰｎＰ仕様に変換する信号変換部と、前記インターホンの動作があると前記メモリから前記ネットワーク対応家電の制御内容を取得し、前記信号変換部にて信号変換することによりUUID毎に前記ネットワーク対応家電を制御するＩＰ変換アダプタＣＰＵを備えたことを特徴とするインターホンシステム。
【請求項２】
前記メモリは、前記インターホンが呼出状態又は通話状態の場合には前記ネットワーク対応家電の音量をあらかじめ設定したボリュームだけ下げるとともに、待受け状態の場合には元の状態に復旧する設定を記憶していることを特徴とする請求項１記載のインターホンシステム。
【請求項３】
前記ＩＰ変換アダプタは、前記ネットワーク対応家電が接続されUUIDを取得したとき前記インターホン親機へ前記ネットワーク対応家電の接続を通知する制御をおこない、
前記インターホン親機は、前記通知を受信すると前記ネットワーク対応家電に対して制御内容を設定する設定モードに移行することを特徴とする請求項１又は請求項２記載のインターホンシステム。
【発明の詳細な説明】
【技術分野】
【０００１】
本発明はインターホンシステムに係り、特に、インターホンの動作に連動してインターホンに接続されている家電を制御するインターホンシステムに関する。
【背景技術】
【０００２】
従来のインターホンシステムは、昼間と夜間とでインターホンの報知音や報知メッセージの音量を自動的に制御できるものがあった（特許文献参照）。これにより、夜間は昼間の音量よりも小さくすることができるので、周囲に迷惑をかけることはなかった。
【特許文献１】特開２００６−２２２８８５
【発明の開示】
【発明が解決しようとする課題】
【０００３】
しかしながら、従来のインターホンシステムでは、時間帯（昼間、夜間）によって音量調整ができるのみであって、室内の家電から出力される音量が大きい場合には快適な通話を行うことができなかった。また、この場合、インターホンの音量を上げるといった対策をとると、家電の音量とインターホンの音量とが合わさって会話をする状態ではなくなるおそれもある。
そこで、家電のボリュームを下げる必要があるが、インターホンの通話状況等に連動して制御できないため、手動で家電のボリュームを下げない限り、快適な通話を行うことができないといった問題があった。
【０００４】
そこで、本発明はこのような問題点に鑑み、インターホンの呼び出しや通話状況等に対して、ネットワーク対応家電の音量を自動的にあらかじめ設定したボリュームへ下げることによって、インターホンからの呼び出しに気付きやすいようにし、さらに通話操作を行った場合にも、ネットワーク対応家電の音量を自動的にあらかじめ設定したボリュームへ下げることで快適な通話が可能なインターホンシステムを提供することを目的とする。
【課題を解決するための手段】
【０００５】
本発明によるインターホンシステムは、居住者を呼び出して通話する機能及び来訪者を撮像するためのカメラを備えたインターホン子機と、インターホン子機からの呼び出しに応答する機能を備えたインターホン親機と、インターホン子機の呼出信号をネットワークを介して連動するための信号へ変換し、家電制御を行う制御部を備えたＩＰ変換アダプタと、家庭内のネットワークを構成する為に設置されるルータと、ネットワークを介して制御を行うことが可能な機能をもったネットワーク対応家電とを備え、ＩＰ変換アダプタは、当該ＩＰ変換アダプタに接続されるネットワーク対応家電の機器識別番号であるUUIDを取得するID取得部と、インターホンの動作に応じてUUIDを有するネットワーク対応家電を制御する内容を記憶するメモリと、インターホンの通信信号をネットワーク対応家電の制御を可能とするＵＰｎＰ仕様に変換する信号変換部と、インターホンの動作があるとメモリからネットワーク対応家電の制御内容を取得し、信号変換部にて信号変換することによりUUID毎にネットワーク対応家電を制御するＩＰ変換アダプタＣＰＵを備えたことを特徴とする。
【０００６】
また、請求項１記載のインターホンシステムにおいて、本発明によるインターホンシステムは、メモリは、インターホンが呼出状態又は通話状態の場合にはネットワーク対応家電の音量をあらかじめ設定したボリュームだけ下げるとともに、待受け状態の場合には元の状態に復旧する設定を記憶していることを特徴とする。
【０００７】
さらに、請求項１又は請求項２記載のインターホンシステムにおいて、本発明によるインターホンシステムは、ＩＰ変換アダプタは、ネットワーク対応家電が接続されUUIDを取得したときインターホン親機へネットワーク対応家電の接続を通知する制御をおこない、インターホン親機は、通知を受信するとネットワーク対応家電に対して制御内容を設定する設定モードに移行することを特徴とする。
【発明の効果】
【０００８】
第１の発明によれば、インターホンの動作に応じてネットワーク対応家電をそれぞれ所望の動作がおこなわれるよう制御することができる。
第２の発明によれば、インターホンの動作のうち、例えば呼出時、通話時において音が宅内で聞こえるようにネットワーク対応家電を制御することができ、呼出音や来訪者の音声を聞き逃すことがなくなる。
第３の発明によれば、新たにネットワーク対応家電が接続されたとき、自動的にインターホン親機を設定モードに移行させ、さらにどのような制御をおこなうかを設定することができる。
【発明を実施するための最良の形態】
【０００９】
以下、本発明によるインターホンシステムを適用した好ましい形態の実施例について、図面を参照して説明する。
図１は、本発明の第１のインターホンシステムを示すシステム構成図であり、居住者を呼び出して通話する機能及び来訪者を撮像するためのカメラを備えたインターホン子機１、インターホン子機１からの呼び出しに応答する機能を備えたインターホン親機２、インターホン子機１の呼出信号をネットワークを介して連動するための信号へ変換し、家電制御を行う制御部を備えたＩＰ変換アダプタ３、家庭内のネットワークを構成する為に設置されるルータ４、ネットワークを介して制御を行うことが可能な機能をもったUniversal Plug and Play（以下。「ＵＰｎＰ」という）対応家電５とから構成されている。
【００１０】
また、ＩＰ変換アダプタ３は、当該ＩＰ変換アダプタに接続されるＵＰｎＰ対応家電５の機器識別番号であるUniversally Unique Identifer（以下、「ＵＵＩＤ」という）を取得して記憶するID取得部３１、インターホンの動作に応じてUUIDを有するＵＰｎＰ対応家電５を制御する内容を記憶する設定記憶部３２、インターホンの通信信号をＵＰｎＰ対応家電５の制御を可能とするＵＰｎＰ仕様に変換する信号変換部３３、インターホン親機２及びルータ４を介してＵＰｎＰ対応家電５間の通信をおこなうための通信IF３４、３５、インターホンの動作があると設定記憶部３２からＵＰｎＰ対応家電５の制御内容を取得し、信号変換部３３にて信号変換することによりUUID毎に前記ＵＰｎＰ対応家電５を制御するＩＰ変換アダプタＣＰＵ３６、を有している。
【００１１】
また、ＩＰ変換アダプタＣＰＵ３６は、インターホン子機１からの呼び出し及び当該インターホン子機との通話を検出する呼出／通話検出部３６１、インターホン親機２とＵＰｎＰ対応家電間の通信をおこなうための連動制御部３６２とを有している。
さらにＵＰｎＰ対応家電５には、ＵＰｎＰ対応家電ＣＰＵ５１、ルータ４を介してＩＰ変換アダプタ３と通信するための通信IF５２とを有し、ＵＰｎＰ対応家電ＣＰＵ５１は、ルータ４を介してＩＰ変換アダプタ３と通信するための連動制御部５１１、ＩＰ変換アダプタ３の設定記憶部３２の設定内容に従って、音量を調整するための音量制御部５１２、ＩＰ変換アダプタ３のID取得部へIDを送出するためのID送出部５１３を備えている。
【００１２】
このように構成されているインターホンシステムにおいて、以下、動作を説明する。
なお、呼出通話においてインターホン子機１とインターホン親機２間の動作は従来と同様であるので説明を省略するものとする。
前提として、ＩＰ変換アダプタ３の設定記憶部３２には、インターホンの動作に対するＵＰｎＰ対応家電５の動作が記憶されている。
【００１３】
例えば、ＵＰｎＰ対応家電がステレオの場合には、呼出時にボリュームを「３」とする、通話時はボリュームを「０」とする、待受け復旧時は元のボリュームに戻すといった情報となる。また、ＵＰｎＰ対応家電がテレビの場合には、呼出時はボリューム変更なし、通話時はボリュームを「０」とする、待受け復旧時は元のボリュームに戻すといった情報となる。
このような設定情報が設定記憶部３２に記憶された状態で、インターホン子機１から呼び出しがあると、インターホン親機２は呼出音を報音させるとともにインターホン子機１のカメラで撮像した来訪者の映像をモニタに出画する（詳述せず）。
この呼出信号は、ＩＰ変換アダプタ３に送信され、ＩＰ変換アダプタＣＰＵ３６を構成する呼出／通話検出部３６１がインターホン子機からの呼出を検出する。ここでＩＰ変換アダプタＣＰＵ３６の連動制御部３６２は予め設定されている設定記憶部３２からＵＰｎＰ対応家電５の制御情報を取得する。
【００１４】
本実施例ではステレオを制御する場合について説明すると、連動制御部３１２は設定記憶部３２に記憶されていた呼出時に関するステレオの制御情報をＩＰ信号変換部３３に送信し、インターホン用の通信信号をＵＰｎＰ対応の通信信号に変換して通信IF３５、ルータ４を介してＵＰｎＰ対応家電であるステレオ５に送信する。
【００１５】
ステレオ５は連動制御部５１１で当該ＵＰｎＰ対応信号を受信し、その制御情報に基づいて音量制御部５１２のボリュームを「３」に変更する（１０が現在のボリュームと想定する。なお、３以下の場合にはそのボリュームを維持するような制御をおこなえばよい）。
このようにステレオのボリュームを変更することによりインターホン親機２で報音される呼出音を居住者は確実に把握することができる。
また、これに伴い通話操作をおこなうと、来訪者と明瞭な通話をおこなうため、同様の制御によりステレオのボリュームを「０」に制御する。このように制御すれば、ハンズフリーのような交互通話であっても良好な通話を実現することが可能となる。
また、呼出⇒待ち受け又は通話⇒待ち受けとなった場合には、自動的にもとのボリュームに復旧させればよい。
【００１６】
次に、新たにＵＰｎＰ対応家電５が接続された場合について説明する。
新たにＵＰｎＰ対応家電５が接続されるとＵＰｎＰ対応家電ＣＰＵ５１の制御によりＩＤ送出部５１３からUUID情報及び制御可能な対象機能情報が通信ＩＦ５２、ルータ４を介してＩＰ変換アダプタ３に送付される。なお制御可能な対象機能情報とは、例えば音量設定や明るさ設定等が考えられる。
ＵＰｎＰ対応家電５から送信されるこれらの情報はＵＰｎＰ対応信号であるのでＩＰ変換アダプタ３のＩＰ信号変換部３３でインターホン用の通信信号に変換される。当該通信信号はインターホン親機２に送信されインターホン親機２で検出されると、インターホン親機２のＣＰＵ（図示せず）が設定モードに移行させる制御をおこなう。
これにより、インターホン親機２の各種操作部を操作して新たに接続されたＵＰｎＰ対応家電５の制御内容を作成することができる。
【００１７】
なお、この制御内容は再度、ＩＰ変換アダプタ３に送信されて設定記憶部３２に記憶される。
これにより、以降のインターホン動作に対してＵＰｎＰ対応家電５の制御をおこなうことができる。
なお、上記実施例において、音量のみの制御を例示したがこれに限るものではなく例えば照明のオンオフ、テレビのオンオフ等様々な制御を可能とすることができる。
【図面の簡単な説明】
【００１８】
【図１】本発明に係るインターホンシステムのシステム構成図及びブロック図。
【符号の説明】
【００１９】
１・・・インターホン子機
２・・・インターホン親機
３・・・ＩＰ変換アダプタ
３１・・・ID取得部
３２・・・設定記憶部
３３・・・信号変換部
３６・・・ＩＰ変換アダプタＣＰＵ
４・・・ルータ
５・・・ＵＰｎＰ対応家電
【図１】
2010074696.tif 000003